(57)【要約】      （修正有）【課題】モバイルインターネットアクセス機器に基づく事業者間と網間のモバイルインターネットアクセスの方法を提供する。【解決手段】機器は、複数の事業者のＷＷＡＮに接続するＷＷＡＮ通信モジュールと、事業者のインターネットアクセスホットスポットに接続可能なホットスポットブリッジングモジュールと、複数の端末を接続するＷＬＡＮ通信モジュールと、ウェブページ容器モジュールと、アクセスポリシー選択ユニットと、事業者間アクセス制御ユニットと、アクセスポリシー選択ユニットと、対応する網に接続する網間接続管理ユニットとを含む。【選択図】図４
2013162521.tif 000002
【特許請求の範囲】
【請求項１】
モバイルインターネットアクセス機器であって、
複数の事業者のＷＷＡＮに接続可能なＷＷＡＮ通信モジュールと、
事業者が展開するインターネットアクセスホットスポットに接続可能なホットスポットブリッジングモジュールと、
無線インターネット端末から上記モバイルインターネットアクセス機器への接続を許可するＷＬＡＮ通信モジュールと、
上記無線インターネット端末の上記モバイルインターネットアクセス機器に対する操作が介するウェブページを格納するウェブページ容器モジュールと、
上記無線インターネット端末のインターネットアクセス要求に応答し、上記無線インターネット端末の現在の事業者間アクセスポリシーおよび／または網間アクセスポリシーを特定するアクセスポリシー選択ユニットと、
上記事業者間アクセスポリシーに応答し、上記ウェブページ容器モジュールを制御することにより事業者情報またはユーザ情報を取得することで、事業者間アクセスを行う事業者間アクセス制御ユニットと、
上記網間アクセスポリシーに応答し、上記ＷＷＡＮ通信モジュールおよび／またはホットスポットブリッジングモジュールを配置することで、対応する網に接続する網間接続管理ユニットとを含むことを特徴とするモバイルインターネットアクセス機器。
【請求項２】
上記モバイルインターネットアクセス機器に設けられるデータサービス用ユーザＩＤ識別カードをさらに含むことを特徴とする請求項１に記載のモバイルインターネットアクセス機器。
【請求項３】
上記ＷＷＡＮ通信モジュールから現在のネットワーク接続と利用可能なネットワーク接続のパラメータ情報を取得し、上記ホットスポットブリッジングモジュールから現在のネットワーク接続と利用可能なネットワーク接続のパラメータ情報を取得し、上記データサービス用ユーザＩＤ識別カードからローミング指示と事業者名情報を取得し、上記ＷＬＡＮ通信モジュールからデータ転送量と接続時間を取得する機器管理ユニットをさらに含むことを特徴とする請求項２に記載のモバイルインターネットアクセス機器。
【請求項４】
上記アクセスポリシー選択ユニットは、さらにリダイレクトまたはウェブページポータルポリシーを特定し、上記事業者間アクセス制御ユニットは、上記無線インターネット端末からの統一資源位置指定子をリダイレクトするよう上記ウェブページ容器モジュールを制御することを特徴とする請求項１に記載のモバイルインターネットアクセス機器。
【請求項５】
上記事業者間アクセス制御ユニットは、内容の更新を事業者サーバに要求し、更新した内容を上記ウェブページ容器モジュールに格納することを特徴とする請求項１に記載のモバイルインターネットアクセス機器。
【請求項６】
モバイルインターネットアクセス機器に用いられる方法において、
上記モバイルインターネットアクセス機器は、複数の事業者のＷＷＡＮに接続可能なＷＷＡＮ通信モジュールと、事業者が展開するインターネットアクセスホットスポットに接続可能なホットスポットブリッジングモジュールと、無線インターネット端末から上記モバイルインターネットアクセス機器への接続を許可するＷＬＡＮ通信モジュールと、上記無線インターネット端末の上記モバイルインターネットアクセス機器に対する操作が介するウェブページを格納するウェブページ容器モジュールとを含み、
該方法は、
上記無線インターネット端末からのインターネットアクセス要求を受信するステップと、
上記インターネットアクセス要求に応答し、上記無線インターネット端末の現在の事業者間アクセスポリシーおよび／または網間アクセスポリシーを特定するステップと、
上記事業者間アクセスポリシーに応答し、上記ウェブページ容器モジュールを制御することにより事業者情報またはユーザ情報を取得することで、事業者間アクセスを行うステップと、
上記網間アクセスポリシーに応答し、上記ＷＷＡＮ通信モジュールおよび／またはホットスポットブリッジングモジュールを配置することで、対応する網に接続するステップとを含むことを特徴とする方法。
【請求項７】
さらに、
リダイレクトまたはウェブページポータルポリシーを特定するステップと、
上記無線インターネット端末からの統一資源位置指定子をリダイレクトするよう上記ウェブページ容器モジュールを制御するステップとを含むことを特徴とする請求項６に記載の方法。
【請求項８】
さらに、
内容の更新を事業者サーバに要求するステップと、
更新した内容を上記ウェブページ容器モジュールに格納するステップとを含むことを特徴とする請求項６に記載の方法。
【発明の詳細な説明】
【技術分野】
【０００１】
本発明の実施例は、無線インターネット技術に関し、具体的に事業者間と網間アクセスを実現したモバイルインターネットアクセス機器およびその方法に関する。
【背景技術】
【０００２】
ＭｉＡＮ（Ｍｏｂｉｌｅ  ｉｎｔｅｒｎｅｔ  Ａｃｃｅｓｓ  Ｎｏｄｅ）は、ＷＷＡＮ（Ｗｉｒｅｌｅｓｓ  ＷＡＮ）とＷＬＡＮ（Ｗｉｒｅｌｅｓｓ  ＬＡＮ）にアクセスする能力を同時に有するデバイスである。ＭｉＡＮが備えるＷＷＡＮインタフェースは、例えばＷＣＤＭＡ、ＣＤＭＡ、ＷｉＭＡX、ＬＴＥ、ＬＴＥ‐Ａなどのあらゆる規格化されたセルネットワークシステムである。ＭｉＡＮが備えるＷＬＡＮインタフェースは、８０２．１１  ＷｉＦｉに基づくものである。
【０００３】
ＷｉＤ（Ｗｉｒｅｌｅｓｓ  Ｉｎｔｅｒｎｅｔ  Ｄｅｖｉｃｅ）は、例えばスマートフォン、タブレット型パソコン、ノードパソコンなど、ＷＬＡＮインタフェース付きで、多種類の異なるインターネットアプリケーションをサポートする端末設備である。ＷｉＤとＭｉＡＮとは、ＷｉＦｉを介して接続し、ＭｉＡＮのＷＷＡＮインタフェースを経由してモバイルインターネットにアクセスする。
【０００４】
モバイルインターネットアクセスをサポートするために、従来の方策は、データサービスをサポートするユーザＩＤ識別カード（ＳＩＭカード、ＵＳＩＭカードなど）をＭｉＡＮに挿入してローカル事業者のセルラーネットワークにアクセスする。また、事業者が展開するインターネットアクセスホットスポット（ＷｉＦｉホットスポットなど）にＭｉＡＮを介してアクセスし、ユーザがＷｉＤにおいてウェブページを開いてユーザ名、パスワードの認証を行う方策もある。さらに、スマートフォンにおける方策は、音声サービスの事業者間アクセスをサポートする。
【発明の概要】
【発明が解決しようとする課題】
【０００５】
しかし、これらの方法は、いずれも機器に基づくアクセスポリシー管理を実現しておらず、多事業者多網共存環境に適応できず、かつ、事業者が提供するインターネット付加価値サービス能力を備えない。
【課題を解決するための手段】
【０００６】
従来技術における一つまたは複数の課題を考慮し、事業者間と網間アクセスを実現したモバイルインターネットアクセス機器およびその方法を提供する。
【０００７】
本発明の一実施例によれば、モバイルインターネットアクセス機器を提供している。該機器は、複数の事業者のＷＷＡＮに接続可能なＷＷＡＮ通信モジュールと、事業者が展開するインターネットアクセスホットスポットに接続可能なホットスポットブリッジングモジュールと、無線インターネット端末から上記モバイルインターネットアクセス機器への接続を許可するＷＬＡＮ通信モジュールと、上記無線インターネット端末の上記モバイルインターネットアクセス機器に対する操作が介するウェブページを格納するウェブページ容器モジュールと、上記無線インターネット端末のインターネットアクセス要求に応答し、上記無線インターネット端末の現在の事業者間アクセスポリシーおよび／または網間アクセスポリシーを特定するアクセスポリシー選択ユニットと、上記事業者間アクセスポリシーに応答し、上記ウェブページ容器モジュールを制御することにより事業者情報またはユーザ情報を取得することで、事業者間アクセスを行う事業者間アクセス制御ユニットと、上記網間アクセスポリシーに応答し、上記ＷＷＡＮ通信モジュールおよび／またはホットスポットブリッジングモジュールを配置することで、対応する網に接続する網間接続管理ユニットとを含む。
【０００８】
本発明の別実施例によれば、モバイルインターネットアクセス機器に用いられる方法を提供している。該モバイルインターネットアクセス機器は、複数の事業者のＷＷＡＮに接続可能なＷＷＡＮ通信モジュールと、事業者が展開するインターネットアクセスホットスポットに接続可能なホットスポットブリッジングモジュールと、無線インターネット端末から上記モバイルインターネットアクセス機器への接続を許可するＷＬＡＮ通信モジュールと、上記無線インターネット端末の上記モバイルインターネットアクセス機器に対する操作が介するウェブページを格納するウェブページ容器モジュールとを含む。上記方法は、上記無線インターネット端末からのインターネットアクセス要求を受信するステップと、上記インターネットアクセス要求に応答し、上記無線インターネット端末の現在の事業者間アクセスポリシーおよび／または網間アクセスポリシーを特定するステップと、上記事業者間アクセスポリシーに応答し、上記ウェブページ容器モジュールを制御することにより事業者情報またはユーザ情報を取得することで、事業者間アクセスを行うステップと、上記網間アクセスポリシーに応答し、上記ＷＷＡＮ通信モジュールおよび／またはホットスポットブリッジングモジュールを配置することで、対応する網に接続するステップとを含む。
【発明の効果】
【０００９】
上記実施例の方策によれば、モバイルインターネットアクセス機器に基づく事業者間と網間のモバイルインターネットアクセスを実現した。
【図面の簡単な説明】
【００１０】
【図１】本発明の一実施例による無線インターネットアクセス機器を構造的に示す図面である。
【図２】本発明の実施例による無線インターネットアクセス機器における機器管理ユニットを示す図面である。
【図３】本発明の実施例による無線インターネットアクセス機器におけるアクセスポリシー選択ユニットを示す図面である。
【図４】本発明の一実施例による無線インターネットアクセス機器の操作フローを示すフローチャートである。
【図５】本発明の実施例による事業者間アクセス制御ユニットの操作フローを示すフローチャートである。
【図６】本発明の実施例によるインターネットアクセス機器の一応用例を示す。
【図７】本発明の実施例によるインターネットアクセス機器の別の応用例を示す。
【発明を実施するための形態】
【００１１】
上記および他の本技術の目的、特徴および利点は、図面を照らし本技術の実施例について詳細な記載をして、より明らかになるであろう。なお、同一の記号により、同一構造のユニットを示す。
【００１２】
以下、本発明の具体的な実施例を詳細に説明する。ここで記載する実施例は、例示的に説明するためのものであり、本発明を制限するためのものではないことに注意すべきである。以下の記載では、本発明についての透徹な理解を提供するために、大量な特定的な細部を詳しく述べている。しかし、本発明を実施するには、必ずしもこれらの特定な細部を採用しないことは、当業者にとって明らかなことである。他の実例では、本発明との混同を避けるために、公知の回路、材料または方法について詳しく記載していない。
【００１３】
全明細書では、言及している「一実施例」、「実施例」、「一例示」、または「例示」は、該実施例または例示と結び付けて記載する特定な特徴、構造または特性が本発明の少なくとも一つの実施例に含まれることを意味する。したがって、全明細書の各部分に現れる「一実施例において」、「実施例において」、「一例示」または「例示」は、同一実施例または例示を指すことに限らない。また、あらゆる適切な組み合わせおよび／またはサブ組み合わせにより、特定な特徴、構造または特性を一つまたは複数の実施例または例示に組み合わせることができる。また、ここで使用する「および／または」は一つまたは複数の関連して示している項目のいずれかひとつと全ての組み合わせを含むことは、当業者が理解すべきである。
【００１４】
本発明の一実施例によれば、モバイルインターネットアクセス機器を利用して周囲網アクセス環境を主動的に取得し、無線インターネット端末のユーザの事業者間アクセスポリシーと網間アクセスポリシーに従い対応するネットワークに接続させる。本発明の別の実施例によれば、ユーザがモバイルインターネットアクセス機器を介してインターネットにアクセスするときに、ユーザが入力したＵＲＬをリダイレクトすることもできる。
【００１５】
図１は、本発明の一実施例による無線インターネットアクセス機器を構造的に示す図面である。
【００１６】
図１に示すように、複数の無線インターネット端末（例えばスマートフォン）１０１、１０２またはノートパソコン１０ｎがモバイルインターネットアクセス機器２００を介してインターネットへ接続を試みる。モバイルインターネットアクセス機器２００は、複数の事業者のネットワークと接続を確立し、さらにインターネットに接続することができる。例えば、モバイルインターネットアクセス機器２００は、事業者１が展開する例えばＧＰＲＳ／ＥＤＧＥおよび／またはＴＤ‐ＳＣＤＭＡのＷＷＡＮと通信できるし、事業者２が展開するＷＣＤＭＡ網とも通信でき、さらに事業者１が展開するインターネットアクセスホットスポットと通信してインターネットに接続することもできる。たとえば、無線インターネット端末１は、インストールしているネットワークブラウザーを起動し、ネットワークアドレスをアドレスバーに入力してインターネットにアクセスし、データサービス通信を行う。
【００１７】
図１に示すモバイルインターネットアクセス機器２００は、ＷＬＡＮ通信モジュール２０１と、機器管理ユニット２０２と、アクセスポリシー選択ユニット２０３と、事業者間アクセス制御ユニット２０４と、網間接続管理ユニット２０５と、ウェブページ容器モジュール２０６と、Ｗｅｂバッファ２０７と、ホットスポットブリッジングモジュール２０８と、ＷＷＡＮ通信モジュール２０９と、ローカル事業者のデータサービスをサポートするユーザＩＤ識別カードとを含む。
【００１８】
ＷＬＡＮ通信モジュール２０１は、例えばＷｉＦｉモジュールであり、無線インターネット端末１０１に備えるＷｉＦｉモジュールとＬＡＮ通信を行う。たとえば、無線インターネット端末１０１上のＷｉＦｉモジュールとＷＬＡＮ通信モジュール２０１との通信接続が確立すると、ユーザは、無線インターネット端末１０１のネットワークブラウザーを起動してインターネットへアクセスを試みる。
【００１９】
ＷＷＡＮ通信モジュール２０９は、例えばＧＰＲＳ／ＥＤＧＥ網またはＴＤ‐ＳＣＤＭＡ網またはＷＣＤＭＡ網のような異なる事業者のコアネットワークと通信し、インターネットと通信する。ホットスポットブリッジングモジュール２０８は、事業者が展開するＷＬＡＮホットスポット、例えばＷｉＦｉアクセス機器と通信してインターネットにアクセスする。該ＷＬＡＮホットスポットは、ＷＬＡＮの事業者とは異なる事業者が展開するものであってもよいが、該ＷＬＡＮの事業者が展開するものであってもよい。また、該ＷＬＡＮホットスポットは、例えばホテルや空港に展開する無料のものであってもよいし、モバイル事業者が展開する有料のものであってもよい。
【００２０】
また、Ｗｅｂバッファ２０７は、ＳＩＭカード情報、ユーザ情報（例えばアカウント情報など）またはＷｅｂページ情報など、ユーザのインターネットアクセス時に使用する各種類の情報を一時的に記憶する。ウェブページ容器モジュール２０６はウェブページを記憶することにより、無線インターネット端末１０１がウェブページを介してモバイルインターネットアクセス機器２００を操作できるようになる。
【００２１】
機器管理ユニット２０２は、ＷＬＡＮ通信モジュール２０１、ＷＷＡＮ通信モジュール２０９、ホットスポットブリッジングモジュール２０８の間に動作するとともに、ＳＩＭカードユニット２１０と接続し、モバイルインターネットアクセス機器の各種類のパラメータを取得・配置する。
【００２２】
図２は、本発明の実施例による無線インターネットアクセス機器における機器管理ユニットを示す図面である。たとえば、機器管理ユニット２０２は、ＷＷＡＮ通信モジュール２０９から現在のネットワーク接続と利用可能なネットワーク接続のパラメータ情報を取得し、ホットスポットブリッジングモジュール２０８から現在のネットワーク接続と利用可能なネットワーク接続のパラメータ情報を取得し、ＳＩＭカード２１０からローミング指示子と事業者名情報を取得し、ＷＬＡＮ通信モジュール２０１からデータ転送量と接続時間などの情報を取得する。下記の表１には、本発明の実施例による機器管理ユニット２０２の管理情報内容が示されている。
【００２３】
【表１】
2013162521.tif 000003
【００２４】
上記実施例によるモバイルインターネットアクセス機器に機器管理ユニット２０２を備えるが、該機器管理ユニット２０２が必須な構成ではなく、後続する各ユニット、たとえばアクセスポリシー選択ユニット２０３が上記表１における内容を取得すればよいことに当業者が意識すべきである。例えば、アクセスポリシー選択ユニット２０３は、機器管理ユニット２０２を介するのではなく、モバイルインターネットアクセス機器２００の各ユニットおよび／またはモジュールから表１の内容を直接的に取得してよい。
【００２５】
アクセスポリシー選択ユニット２０３は、機器管理ユニット２０２、ウェブページ容器モジュール２０６、事業者間アクセス制御ユニット２０４、網間接続管理ユニット２０５の間に動作し、事業者またはユーザの所定の定義および機器管理パラメータに基づいてアクセスポリシーを制御する。
【００２６】
図３は、本発明の実施例による無線インターネットアクセス機器におけるアクセスポリシー選択ユニットを示す図面である。
【００２７】
図３に示すように、アクセスポリシー選択ユニット２０３は、現在のネットワーク接続と利用可能なネットワーク接続のパラメータ情報を機器管理ユニット２０２から取得し、事業者またはユーザの所定定義内容の情報を設定する。下記の表２には、アクセスポリシー選択ユニット２０３が使用する事業者の所定定義内容の情報が示されている。
【００２８】
【表２】
2013162521.tif 000004
【００２９】
下記の表３には、アクセスポリシー選択ユニット２０３が使用するユーザの所定定義内容情報が示されている。
【００３０】
【表３】
2013162521.tif 000005
【００３１】
事業者間アクセス制御ユニット２０４は、アクセスポリシー選択ユニット２０３とウェブページ容器モジュール２０６との間に動作し、事業者間関連のアクセスポリシーの実行およびウェブページを介したユーザとの関連情報のインタラクティブを行い、またはさらにインターネット内容を提供して付加価値サービスを実現する。
【００３２】
網間接続管理ユニット２０５は、ＷＷＡＮ通信モジュール２０９、ホットスポットブリッジングモジュール２０８、アクセスポリシー選択ユニット２０３の間に動作し、ネットワーク接続関連のアクセスポリシーを実行する。
【００３３】
上記の機器管理ユニット２０２、アクセスポリシー選択ユニット２０３、事業者間アクセス制御ユニット２０４および網間接続管理ユニット２０５は、分離したユニットの形式で記載したが、上記のこれらのユニットが異なる機能的モジュールに形成可能なこと、または、ソフトウェアの形式か専用ハードウェアの形式で実現可能であることは、当業者が意識すべきことである。
【００３４】
本発明の実施例によれば、上記モジュールがソフトウェアで実現する場合、従来のモバイルインターネットアクセスノードのハードウェアとファームウェアを変更する必要なく本発明の実施例のモバイルインターネットアクセス機器を実現することができる。
【００３５】
図４は、本発明の一実施例による無線インターネットアクセス機器の操作フローを示すフローチャートである。
【００３６】
図４に示すように、ステップＳ２１において、無線インターネット端末１０１がＷＬＡＮを介してモバイルインターネットアクセス機器２００のＷＬＡＮ通信モジュール２０１と接続を確立した場合、ユーザは、無線インターネット端末１０１のブラウザーを起動して、一つの統一資源位置指定子ＵＲＬをアドレスバーに入力し、インターネットアクセス要求を送信して、インターネットへアクセスを試みる。
【００３７】
ステップＳ２２において、機器管理ユニット２０２は、ＷＬＡＮ通信モジュール２０１、ＷＷＡＮ通信モジュール２０９、ホットスポットブリッジングモジュール２０８から利用可能な接続の属性と現在のネットワーク状態を取得し、取得した情報をアクセスポリシー選択ユニット２０３に報告する。
【００３８】
ステップＳ２３において、アクセスポリシー選択ユニット２０３は、事業者間アクセスポリシーと網間接続ポリシーを特定する。
【００３９】
ステップＳ２４において、事業者間アクセスポリシーが特定された場合、事業者間アクセス制御ユニット２０４は、事業者間アクセスポリシーを実行し、事業者またはユーザ関連情報を取得するようウェブページ容器モジュール２０６を制御して、事業者間アクセスに入る。
【００４０】
ステップＳ２５において、網間接続ポリシーが特定された場合、網間接続管理ユニット２０５は、網間接続ポリシーを実行し、ＷＷＡＮ通信モジュール２０９および／またはホットスポットブリッジングモジュール２０８を配置して、対応するネットワークに接続する。
【００４１】
また、ステップＳ２６において、ウェブページポータルにリダイレクトした場合、事業者間アクセス制御ユニット２０４は、リダイレクトまたはウェブページポータルポリシーを実行し、ユーザにより入力されたＵＲＬのリダイレクトおよび付加価値インターネット内容の提供を行うようウェブページ容器モジュール２０６を制御する。
【００４２】
図５は、本発明の実施例による事業者間アクセス制御ユニットの操作フローを示すフローチャートである。図５に示すように、ステップＳ５１において、無線インターネット端末１０１は、任意のＨＴＴＰ要求をブラウザーを介してモバイルインターネットアクセス機器２００に送信する。
【００４３】
ステップＳ５２において、モバイルインターネットアクセス機器のモバイルインターネットアクセスフローを起動する。例えば、事業者間アクセス制御ユニット２０４は、ローミング事業者またはユーザ関連情報を取得するようウェブページ容器モジュール２０６を制御し、ホーム事業者サーバからインターネットアクセス許可フラグを返信して課金を開始する。
【００４４】
ステップＳ５３において、モバイルインターネットアクセス機器２００は、ＨＴＴＰ要求のＵＲＬをリダイレクトする。
【００４５】
ステップＳ５４において、インターネット接続中に、モバイルインターネットアクセス機器２００がリモート側事業者サーバに内容更新を要求する可能性がある。例えばネットワークポータルを更新する。更新した内容は、モバイルインターネットアクセス機器２００のウェブページ容器モジュール２０６内にバッファリングされ、次回のリダイレクトでの使用に備える。
【００４６】
ステップＳ５５において、無線インターネット端末１０１が自らネットワーク接続を切断するかタイムオーバになると、ネットワーク接続を切断し、課金を終わらせる。
【００４７】
図６は、本発明の実施例によるインターネットアクセス機器の一応用例を示す。
【００４８】
ＤＯＣＯＭＯのある日本ユーザが中国のあるホテルでモバイルインターネットアクセス機器を使用する。該モバイルインターネットアクセス機器には、レンタルのＣｈｉｎａ  Ｕｎｉｃｏｍのデータサービス用ＳＩＭカード２１０が挿入されている。
【００４９】
該ユーザは、無線インターネット端末１０１を介して本機器のＷｉＦｉモジュールを起動し、モバイルインターネットアクセス機器２００に接続してインターネットを開始し、ブラウザーを通じてアドレスｗｗｗ．ｓｉｎａ．ｃｏｍ．ｃｎを入力する。
【００５０】
該ＨＴＴＰウェブページ要求は、モバイルインターネットアクセス機器２００に送信される。モバイルインターネットアクセス機器２００の事業者間アクセス制御ユニット２０４は、ウェブページ容器モジュール２０６を制御し、バッファ２０７における内容からユーザ関連情報を取得する。たとえば、ページで登録した情報から該ユーザがＤＯＣＯＭＯユーザであることを取得する。
【００５１】
そして、モバイルインターネットアクセス機器２００のモバイルインターネットアクセスフローを起動する。モバイルインターネットアクセス機器の機器管理ユニット２０２は、現在のネットワーク状態がＣｈｉｎａ  ＵｎｉｃｏｍのＷＣＤＭＡ網であることを、ＷＷＡＮ通信モジュール２０９から取得する。
【００５２】
アクセスポリシー選択ユニット２０３は、事業者間アクセスポリシーを実行し、事業者の所定定義内容から、利用可能なネットワークの属性Ｃｈｉｎａ  Ｕｎｉｃｏｍが第２ローミング事業者に一致すると判断し、ユーザの所定定義内容から、利用可能なネットワーク属性の事業者ＷｉＦｉが第２優先接続ネットワークに一致すると判断する。
【００５３】
事業者間アクセス制御ユニット２０４は、ウェブページ容器モジュール２０６を制御し、ユーザとのインタフェースインタラクティブを介してユーザのアカウント情報を取得する。
【００５４】
アクセスポリシー選択ユニット２０３は、網間アクセスポリシーを実行し、網間接続管理ユニット２０５は、ホットスポットブリッジングモジュール２０８を配置し、取得したユーザアカウント情報を使用して、利用可能なＤＯＣＯＭＯ  ＩｎｔｅｒＴｏｕｃｈが提供するＷｉＦｉネットワークに接続する。
【００５５】
アクセスポリシー選択ユニット２０３は、リダイレクトポリシーを実行し、事業者の所定定義内容から、ＤＯＣＯＭＯ  ＩｎｔｅｒＴｏｕｃｈのローミングウェブページポータルがｗｗｗ．ｄｏｃｏｍｏｉｎｔｅｒｔｏｕｃｈ．ｃｏｍ／ｈｏｔｅｌ．ｈｔｍｌであることを取得し、事業者間アクセス制御ユニット２０４は、該ＵＲＬにリダイレクトするようウェブページ容器モジュール２０６を制御する。
【００５６】
ＤＯＣＯＭＯ  ＩｎｔｅｒＴｏｕｃｈ事業者サーバは、インターネットアクセス許可フラグを返信して、課金を開始する。
【００５７】
該ユーザの無線インターネット端末１０１が自らネットワーク接続を切断するかタイムオーバになると、ネットワーク接続を切断し、課金を終わらせる。
【００５８】
図７は、本発明の実施例によるインターネットアクセス機器の別の応用例を示す。
【００５９】
ＤＯＣＯＭＯのある日本ユーザが中国のある都市内にモバイルインターネットアクセス機器２００を使用する。該モバイルインターネットアクセス機器２００には、レンタルのローカルＣｈｉｎａ  Ｕｎｉｃｏｍのデータサービス用ＳＩＭカード２１０が挿入されている。
【００６０】
該ユーザは、無線インターネット端末１０１を介してＷｉＦｉモジュールを起動し、モバイルインターネットアクセス機器２００に接続してインターネットを開始し、ブラウザーを通じてアドレスｗｗｗ．ｙａｈｏｏ．ｃｏ．ｊｐを入力する。
【００６１】
該ＨＴＴＰウェブページ要求は、モバイルインターネットアクセス機器２００に送信される。該モバイルインターネットアクセス機器２００の事業者間アクセス制御ユニット２０４は、ウェブページ容器モジュール２０６を制御し、バッファ２０７における内容からユーザ関連情報を取得する。たとえば、ページで登録した情報から該ユーザがＤＯＣＯＭＯユーザであることを取得する。
【００６２】
そして、モバイルインターネットアクセス機器２００のモバイルインターネットアクセスフローを起動する。機器管理ユニット２０２は、現在のネットワーク状態がｃｈｉｎａ  ＵｎｉｃｏｍのＷＣＤＭＡ網であることを、ＷＷＡＮ通信モジュール２０９から取得する。
【００６３】
アクセスポリシー選択ユニット２０３は、事業者間アクセスポリシーを実行し、事業者の所定定義内容から、利用可能なネットワークの属性Ｃｈｉｎａ  Ｕｎｉｃｏｍが第1ローミング事業者に一致すると判断し、ユーザの所定定義内容から、利用可能なネットワーク属性のＯｐｅｒａｔｏｒ  ＷｉＦｉが第３優先接続ネットワークに一致すると判断する。
【００６４】
事業者間アクセス制御ユニット２０４は、ウェブページ容器モジュール２０６を制御し、バッファ２０７における内容からユーザのローミングサービスアカウント関連情報を取得する。
【００６５】
アクセスポリシー選択ユニット２０３は、リダイレクトポリシーを実行し、事業者の所定定義内容から、ＤＯＣＯＭＯ  ＩｎｔｅｒＴｏｕｃｈのローミングウェブページポータルがｗｗｗ．ｎｔｔｄｏｃｏｍｏ．ｃｏｍであることを取得する。事業者間アクセス制御ユニット２０４は、該ＵＲＬにリダイレクトするようウェブページ容器モジュール２０６を制御する。ユーザの所定定義内容から、ネットワークバッファリングリストＵＲＬ１：ｊｐ.ｍｓｎ．ｃｏｍとＵＲＬ２：ｗｗｗ．ｅｘｃｉｔｅ．ｃｏ．ｊｐのページ内容を取得し、ローミングウェブページポータルの後のブラウザータブページに示す。
【００６６】
ＤＯＣＯＭＯ事業者サーバは、インターネットアクセス許可フラグを返信して、課金を開始する。
【００６７】
上記のインターネット接続中に、モバイルインターネットアクセス機器２００がリモート側事業者サーバｊｐ.ｍｓｎ．ｃｏｍとｗｗｗ．ｅｘｃｉｔｅ．ｃｏ．ｊｐに内容更新を要求する。更新内容は、モバイルインターネットアクセス機器２００のウェブページ容器モジュール２０６内にバッファリングされ、次回のリダイレクトでの使用に備える。
【００６８】
ユーザの無線インターネット端末が自らネットワーク接続を切断するかタイムオーバになると、ネットワーク接続を切断し、課金を終わらせる。
【００６９】
上記の実施例によれば、ＭｉＡＮは、機器に基づくアクセスポリシー管理能力が増加し、事業者とユーザでネットワークと接続属性を予め定義できる。したがって、多事業者多網共存の環境に適応でき、しかもウェブページに基づくインターネット付加価値サービス提供能力を備え、ＭｉＡＮの応用価値が増加する。
【００７０】
以上の詳細な記載は、ブロック図、フロー図および／または例示によりモバイルインターネットアクセス機器および／または方法のいくつかの実施例を詳しく述べた。このようなブロック図、フロー図および／または例示には、ひとつまたは複数の機能および／または操作が含まれる場合、このようなブロック図、フロー図および／または例示における各機能および／または操作は各種類のハードウェア、ソフトウェア、ファームウェアまたは実質上それらの任意の組み合わせにより単独および／または共同で実現可能なことは当業者が理解すべきである。一実施例において、本発明の実施例による主題の幾つかの部分は、ＡＳＩＣ、ＦＰＧＡ、ＤＳＰ、または他の集成方式で実現可能である。しかし、ここで開示している実施例の一部は、全体的にまたは一部的に集成回路に同等に実現でき、一台または複数台のコンピュータに実行する一つまたは複数のコンピュータプログラム（例えば一台または複数台のコンピュータシステムに実行する一つまたは複数のプログラム）、一つまたは複数のプロセッサーに実行する一つまたは複数のプログラム（例えば一つまたは複数のマイクロプロセッサーに実行する一つまたは複数のプログラム）、ファームウェア、または実質上上記方式の任意の組み合わせとして実現することは、当業者が認識すべきことである。しかも当業者が本開示に基づき、回路設計および／またはソフトウェアおよび／またはファームウェアコードを書き込む能力を備える。また、本開示の主題の仕組みは、複数種類の形式のプログラムプロダクトとして分配でき、実際に分配を実行する信号担持媒体の具体的なタイプにかかわらず、本開示の主題の例示的な実施例はいずれも適用することは、当業者が意識すべきである。信号担持媒体の例示は、例えばフロッピーディスク、ハードディスクドライブ、コンパクトディスク（ＣＤ）、デジタル多用途ディスク（ＤＶＤ）、デジタルテープ、コンピュータメモリなどの記録可能な媒体、及び、デジタルおよび／またはアナログ通信媒体（例えば光ファイバー・ケーブル、導波路、有線通信リンク、無線通信リンクなど）など転送型媒体を含むが、これらに限らない。
【００７１】
いくつかの典型的な実施例を参照して本発明を記載したが、使用されている術語は、説明のための例示的なものであり、制限するものではないことを理解すべきである。本発明は発明の精神または実質を逸脱することなく複数種類の形式で具体的に実施可能であるが、上記実施例は前述のいかなる細部にも制限されず、添付している特許請求の範囲により限定している精神と範囲内に広く解釈されるべきであり、特許請求の範囲またはその同等効果範囲内に含まれる全ての変化と改良は添付している特許請求にカバーされることは、理解されるべきである。
【図１】
2013162521.tif 000006
【図２】
2013162521.tif 000007
【図３】
2013162521.tif 000008
【図４】
2013162521.tif 000009
【図５】
2013162521.tif 000010
【図６】
2013162521.tif 000011
【図７】
2013162521.tif 000012